(57)【特許請求の範囲】
【請求項１】
デッキと、
前記デッキの下方に設けられる複数の消波膜体と、を有する消波式浮桟橋であって、
前記複数の消波膜体は、前記デッキの長さ方向に配列され、
前記消波膜体は上部が広く下部が窄んだ形状で中間部が下方に垂れ下がる状態となるように、前記消波膜体の上部のみがデッキに固定され、
前記消波膜体の下端部に前記デッキの長さ方向に延びるバラストパイプを設け、
前記消波膜体が水中に没したとき、該消波膜体で区分された海水層が形成されるようにしたことを特徴とする消波式浮桟橋。
【請求項２】
前記デッキの下方に、前記デッキの幅方向における両端に沿って前記デッキの長さ方向に配列される複数のフロートを設けたことを特徴とする請求項１記載の消波式浮桟橋。
【発明の詳細な説明】
【０００１】
【発明の属する技術分野】
本発明は、ボートの係留施設等に適する消波式浮桟橋に関し、特に陸地から海上に延びた縦桟橋に対して複数の横桟橋を配置して多数のボート等の係留施設の最先端に配置される横桟橋に適する消波式浮桟橋に関する。
【０００２】
【従来の技術】
従来の浮桟橋において、消波機能を備えた浮桟橋として種々のタイプが考案されている。その一つに特開平６−１０８４１６号が存在する。これは、デッキ下面周囲に複数の分割フロートを配設し、かつ水面下の分割フロート間に水平フレームが渡され、この水平フレームに断面山形状の多数の板状材が各板状材間にスリットを形成するように配置された構成である。この場合、水平フレームは適度に傾斜させて水平フレームが緩傾斜になるように取り付けることによって消波機能をもたせている。
【０００３】
【発明が解決しようとする課題】
陸地から海上に延びた縦桟橋に対して複数の横桟橋を配置して多数のボート等の係留施設においては、この係留施設の先端付近を航行するボート等による波浪によって、この係留施設の先端部に配置された浮桟橋が大きく揺れてこの施設全体の浮桟橋や係留船舶が揺れる問題がある。これを抑制するために消波機能を備えた浮桟橋が有効であるが、上記従来の消波機能を備えた浮桟橋は、多数の板状材が水平フレームにスリットを形成するように配置された構成であるため、かなり複雑な構成となる問題がある。本発明は、この様な従来の浮桟橋に比して、構成が簡単であり、且つ有効な消波効果が得られる浮桟橋を提供するものである。
【０００４】
【課題を解決するための手段】
本願発明の請求項１記載の消式浮桟橋は、デッキと、前記デッキの下方に設けられる複数の消波膜体と、を有する消波式浮桟橋であって、前記複数の消波膜体は、前記デッキの長さ方向に配列され、前記消波膜体は上部が広く下部が窄んだ形状で中間部が下方に垂れ下がる状態となるように、前記消波膜体の上部のみがデッキに固定され、前記消波膜体の下端部に前記デッキの長さ方向に延びるバラストパイプを設け、前記消波膜体が水中に没したとき、該消波膜体で区分された海水層が形成されるようにする。
【０００５】
また、本願発明の請求項２記載の消波式浮桟橋は、上記請求項１記載の消波式浮桟橋において、前記デッキの下方に、前記デッキの幅方向における両端に沿って前記デッキの長さ方向に配列される複数のフロートを設けるようにする。
【０００６】
また本願発明の消波式浮桟橋は、前記消波膜体は、一枚の耐水性膜の両端が前記浮桟橋の下側に取り付けられて中間部が下方に垂れ下がる状態で前記対面する膜を形成し、前記バラストパイプが前記各消波膜体のそれぞれの垂れ下がり下端部内に保持されたことを特徴とする。
【０００７】
これによって、対面する膜を別々の耐水性膜によって構成する場合に比して、膜間に海水の層を形成する消波膜体の構成が簡素化され、且つ耐水性膜へのバラストパイプの保持構造が簡素化される。
【０００８】
【発明の実施の形態】
次に、本願発明の実施の形態について説明する。図１乃至図６は本発明の一つの実施形態を示す。図１は本発明の消波式浮桟橋の外観説明図、図２は本発明の消波式浮桟橋の平面説明図、図３は本発明の消波式浮桟橋の側面説明図、図４は図２のＡ―Ａ部分の断面説明図、図５は図４のＤ部の拡大図、図６は本発明の消波式浮桟橋が適用されるボート等の係留施設の説明図である。
【０００９】
本発明の消波式浮桟橋は、消波機能に優れたものであり、種々の適用があるが、その中で特に、陸地から海上に延びた縦桟橋に対して複数の横桟橋を配置して多数のボート等の係留に適するボート等の係留施設において、その最先端に横に配置される浮桟橋として好適である。以下、本発明の実施形態をボート等の係留施設に適用した場合について図に基づき説明する。
【００１０】
本発明の消波式浮桟橋１は、浮桟橋の下側中央部には下部が水中に没する複数の消波膜体１０の列が配置され、各消波膜体１０は間隔を存して対面する膜間に海水の層を形成し、消波膜体１０のそれぞれの下端部には消波膜体１０の横長さ方向に延びたバラストパイプを設けている。一つの形態として、デッキの下側に複数のフロートを配置した浮桟橋において、本発明の消波式浮桟橋１は、複数のフロート７がデッキ２の左右端に沿って左右のフロート列をなすようにデッキ２の長さ方向に配列され、左右のフロート列間にあってデッキ２の下側中央部には下部が水中に没する複数の消波膜体１０の列が左右のフロート列と並列に配置され、各消波膜体１０は間隔を存して対面する膜９、９間に海水の層を形成し、消波膜体１０のそれぞれの下端部には、デッキ２の長さ方向に延びたバラストパイプ１２を設けた構成である。
【００１１】
これの一つの具体的な実施形態について説明する。１は幅Ｓで長さＬの矩形状をなす本発明の消波式浮桟橋である。２はこの桟橋の床を構成するデッキであり、周縁部を巡るメインフレーム３Ａ及びメインフレーム３Ａ間に渡るサブフレーム３Ｂからなるフレーム３を有し、中間部にはデッキ２の長さＬ方向に並列に設けた補強材６をサブフレーム３Ｂの上に設け、メインフレーム３Ａの左右間に渡ってデッキ２の幅Ｓ方向に長い多数のデッキパネル（床板）４が補強材６の上にデッキ２の長さＬ方向に平面的に並べられた構成である。５はフレーム３の側面に沿って取り付けた保護用ゴムである。７はデッキ２の下側に取り付けられたフロートであり、サブフレーム３Ｂの下面にボルト８でもって固定している。フロート７は、複数のフロート７がデッキ２の左右端に沿って左右のフロート列をなすように適当な間隔を存してデッキ２の長さ方向に配列されている。フロート７は、発泡体が充填された金属あるいはプラスチックス製の浮き体である。デッキ２とフロート７によって、浮桟橋が構成される。
【００１２】
１０は消波膜体であり、左右のフロート列間にあってデッキ２の下側中央部には複数の消波膜体１０がデッキ２の長さＬ方向に略一直線状に配列されている。
消波膜体１０は、間隔を存して対面する一対の耐水性膜９、９を形成して縦方向の長さの半分以上が水中に没する縦方向寸法を有しており、対面する一対の膜９、９の上部はサブフレーム３Ｂの下面にボルト１１でもって固定しており、一対の膜９、９の間隔は上部が広く下部が窄んだ形状をなす。また、対面する膜９、９の間隔は、デッキ２の長さＬ方向が開いており、そのために対面する膜９、９間に進入した海水はその周囲の海水とは膜９、９によって区分された海水の層を形成する。この海水の層は、消波膜自体が海中に沈んだ状態を保つための錘の作用と、波による膜９、９の撓みによってその厚さが自在に変わることによる波の作用力の減衰作用をする部分である。
【００１３】
消波膜体１０は、対面する一対の膜９、９を夫々別個の膜で構成してもよいが、好ましい実施形態としては、一枚の耐水膜の両端がデッキ２の下側にボルト１１で取り付けられて中間部が下方に垂れ下がる状態で対面する膜９、９を形成する方法がある。後者の場合、各消波膜体１０は、プラスチックス製の膜であり、波浪を受けたときにも十分な強度を保つことが必要であり、その場合の好ましい実施形態としては、所定の撓みと剛性を有するように厚さ１．５ｍｍの高密度ポリエチレン膜で構成され、略一直線状にデッキ２の長さ方向に配列されている。
図４に示すように、膜９、９の上端部は破損し難いように断面Ｌ型のレール材１４にそって折り曲げた状態でボルト１１でもってサブフレーム３Ｂに固定している。
【００１４】
消波膜体１０のそれぞれの下端部は、デッキ２の長さ方向に延びたバラストパイプ１２で連結されている。具体的には、各消波膜体１０のそれぞれの垂れ下がり下端部内に渡るようにバラストパイプ１２が配置され、バラストパイプ１２と消波膜体１０の耐水膜の下端部を上下に貫通したボルト１３とこれに螺合するナットでもってバラストパイプ１２を消波膜体１０に固定している。バラストパイプ１２は内部に海水が侵入できるように例えば両端が開いた金属製又はプラスチックス製の中空の円筒パイプであるが、消波膜体１０を海中に沈めるための錘の役目をさせるためには金属製がよいが、プラスチックス製の場合には適当な錘を内部に付加すればよい。一対の膜９、９の間隔は、図４に示すようにバラストパイプ１２が取り付けられた状態で上部が広く下部が窄んだ形状をなして海中に沈んだ状態を保つ。
【００１５】
本発明の消波式浮桟橋１を適用する場所として、図６に示すように、陸地から海上に延びた縦桟橋２０に対して複数の横桟橋２１を配置して多数のボート２２等の係留施設がある。これにおいて、その最先端に配置される横桟橋２３に本発明の消波式浮桟橋１を適用することによって、この施設に近い前方を往き来するプレジャーボートやその他の船（これらは符号２４で示す）によって発生する波がこの桟橋２３、即ち消波式浮桟橋１に到達してもこの波による桟橋の揺れを抑制できる。
【００１６】
即ち、図６においてプレジャーボート等２４が右から左へ進行するときに生ずる波は、消波式浮桟橋１に右から左へ順々に到達する。この場合、先ず右端の消波膜体１０にこの波が衝突する。この衝突によって、膜９、９のうちの波浪を受けた一方の膜９は対面する膜９、９間の海水の層を押しつつ撓む。この押された海水は、膜９、９のうちの他方膜９を押圧すると共に膜９、９間で水位上昇しつつ隣の消波膜体１０方向へも移動する。この一連の波浪緩衝作用によって消波作用がなされる。一対の膜９、９の間隔は、図４に示すように上部が広く下部が窄んだ形状をなすため、上端部の間隔はそのまま保持された状態でその下方部分が撓むことによって波浪緩衝作用が効果的である。また、膜９、９間の海水の層とバラストパイプ１２は、消波膜体１０の移動を抑制する作用をするため、錘としての機能も奏するものである。
【００１７】
このように、バラストパイプ１２の錘の作用に加えて、膜９、９間の海水の層が消波膜体１０の錘の作用と波浪緩衝の作用をしてデッキ２の揺れを抑制する。
一方、各消波膜体１０は、バラストパイプ１２によって連結された構成であるため、プレジャーボート等２４の進行によって生じる波浪が順々に消波膜体１０に衝突してゆくときに、波浪によって押された消波膜体１０は、まだ波浪によって押されていない隣の消波膜体１０によってその動きが抑制される。このため、波浪によって押された消波膜体１０の余分な移動、即ち押されっぱなしが制限され、消波効果が得られる。このように、膜９の撓みと対面する膜９、９間の海水の層によって消波膜体の錘の作用と波浪緩衝の作用が行われると共にバラストパイプ１２で連結された消波膜体１０相互が揺れを抑制し合う関係でもって、波浪による浮桟橋１の揺れが抑制される。
【００１８】
このような作用によって、消波式浮桟橋１、即ち横桟橋２３の揺れは軽減されるため、図６の施設における桟橋の揺れは少なく、この桟橋を利用する人にとって好ましいものとなる。なお、本発明の消波式浮桟橋１は、図６に示すような陸地から海上に延びた縦桟橋２０と複数の横桟橋２１の組み合わせ施設において、波が頻繁に届くような状況では、その最先端に配置される横桟橋２３のみならず他の横桟橋２１、更には縦桟橋２０にも採用することによって、良好な消波式浮桟橋施設となる。
【００１９】
本発明の消波式浮桟橋１の一つの実施例として、デッキ２の大きさは約幅Ｓが２ｍ、長さＬが９．３ｍであり、フロート７の大きさは、デッキ２の長さＬ方向の長さが１．８ｍ、幅が７０ｃｍ、高さが４３ｃｍであり、消波膜体１０は、夫々高さが約２．３ｍで幅（デッキ２の長さＬ方向の長さ）が約２ｍのものと約１．８ｍのものが厚さ１．５ｍｍのポリエチレン等の膜で構成され、一つのデッキ２には、左右端部に夫々４個のフロート７が略等間隔に配置され、消波膜体１０は約２ｍのもの４個と約１．３ｍのもの１個が近接又は接する状態で直線状に配置され、消波膜体１０の下部が水中に約２ｍ没するように設計されたものである。これによって、良好な消波機能が発揮できる。
【００２０】
上記において、各消波膜体１０は、各消波膜体１０のそれぞれの垂れ下がり下端部内に渡るように取り付けたバラストパイプ１２で連結された状態である。これとは別の実施形態として、デッキ２の長さ方向に延びたバラストパイプ１２が各消波膜体１０ごとに分割された構成とすることができる。この場合、略各消波膜体１０の横方向長さに相当する長さのバラストパイプ１２を用意し、夫々の消波膜体１０ごとに耐水膜の下端部を上下に貫通したボルト１３とこれに螺合するナットでもってバラストパイプ１２を各消波膜体１０に固定すればよい。
【００２１】
この分割された構成では、各消波膜体１０は、バラストパイプ１２によって連結された構成に比して独立した動きをするが、消波膜体１０に波が衝突すると、膜９、９のうちの波浪を受けた一方の膜９は対面する膜９、９間の海水の層を押しつつ撓み、押された海水は、膜９、９のうちの他方膜９を押圧すると共に膜９、９間で水位上昇しつつ隣の消波膜体１０方向へも移動する。この一連の波浪緩衝作用によって消波作用がなされる。これはバラストパイプ１２が各消波膜体１０に渡る構成の場合と同様である。このように、波浪によって押された消波膜体１０は、膜９の撓みと対面する膜９、９間の海水の層によって消波膜体の錘の作用と波浪緩衝の作用が行われると共にバラストパイプ１２の錘の作用によって消波作用がなされ、浪による浮桟橋１の揺れが抑制される。
【００２２】
上記の実施形態では、多数のデッキパネル（床板）４を平面的に並べた構成のデッキ２とその下側に取り付けたフロート７とで浮桟橋を構成しているが、デッキ２全体を一つの箱型に形成してフロートを兼用するように、内部中空または内部中空に発泡材を充填した箱型浮桟橋、或いはデッキ２を複数の箱型に形成してフロートを兼用するように、内部中空または内部中空に発泡材を充填したものを直列に連結して形成した箱型浮桟橋とし、これら箱型浮桟橋の下面中央部に消波膜体１０の列を上記のように配置した形態でもよい。この場合も上記同様の作用及び効果が得られる。
【００２３】
本発明は、上記実施形態に限定されず、本発明の技術的範囲を逸脱しないかぎり種種の変更が考えられ、それに係る種種の実施形態を包含するものである。
【００２４】
【発明の効果】
第１の発明によれば、付近を航行するボート等によって生じる波浪を受けた一方の膜は対面する膜間の海水の層を押しつつ撓む。この押された海水は他方の膜を撓ませると共に隣の消波膜体方向へも移動する。このように、膜間の海水の層による消波膜体の錘の作用と波浪緩衝の作用と、バラストパイプの錘の作用によって消波膜体の揺れを抑制しつつ消波効果が得られる。
【００２５】
なお、各消波膜体がバラストパイプによって連結された構成とすることによって、波浪が順々に消波膜体に衝突してゆくときに、波浪によって押された消波膜体は隣の消波膜体によってその動きが抑制されるため、バラストパイプで連結された消波膜体相互が揺れを抑制し合う関係でもって、波浪による浮桟橋の揺れ抑制の効果がある。
【００２６】
第２の発明によれば、対面する膜を別々の耐水性膜によって構成する場合に比して、膜間に海水の層を形成する消波膜体の構成が簡素化され、且つ耐水性膜へのバラストパイプの保持構造が簡素化される。
【図面の簡単な説明】
【図１】本発明の消波式浮桟橋の外観説明図である。
【図２】本発明の消波式浮桟橋の平面説明図である。
【図３】本発明の消波式浮桟橋の側面説明図である。
【図４】図２のＡ―Ａ部分の断面説明図である。
【図５】図４のＤ部の拡大図である。
【図６】本発明の消波式浮桟橋が適用されるボート等の係留施設の説明図である。
【符号の説明】
１……消波式浮桟橋
２……デッキ
３……フレーム
４……デッキ膜
７……フロート
８……ボルト
９……対面する膜
１０…消波膜体
１１…ボルト
１２…バラストパイプ
１３…ボルト
【図１】
0004565600.tif 000002
【図２】
0004565600.tif 000003
【図３】
0004565600.tif 000004
【図４】
0004565600.tif 000005
【図５】
0004565600.tif 000006
【図６】
0004565600.tif 000007